(57)【要約】【課題】送信タイミングに関して所定の条件を満たす必要のある通信が存在する場合、リアルタイム性が要求される通信が阻害されることを抑制する技術を提供する。【解決手段】制御装置３０は、算出部４０、決定部４２を含む。算出部４０は、無線リソースを使用する複数の端末装置のそれぞれから基地局装置１０が受信した信号をもとに、時間毎の無線リソースの使用状況が示された第１スコアを算出する。決定部４２は、算出部４０において算出した第１スコアと、信号送信に必要な時間の予測値とをもとに、信号を送信するタイミングを決定する。【選択図】図５
2019029736.tif 000002
【特許請求の範囲】
【請求項１】
無線リソースを使用する複数の端末装置のそれぞれから受信した信号をもとに、時間毎の無線リソースの使用状況が示された第１スコアを算出する算出部と、
前記算出部において算出した第１スコアと、信号送信に必要な時間の予測値とをもとに、信号を送信するタイミングを決定する決定部と、
を備えることを特徴とする制御装置。
【請求項２】
前記決定部において送信のタイミングが決定される信号は、送信のタイミングに関する所定の条件を満たす必要のある信号であることを特徴とする請求項１に記載の制御装置。
【請求項３】
前記決定部は、前記算出部において算出した第１スコアをもとに、無線リソースが使用される可能性が相対的に低いタイミングを特定することを特徴とする請求項２に記載の制御装置。
【請求項４】
前記決定部は、送信のタイミングに関する所定の条件によって特定されるタイミングを中心にした所定の時刻範囲を対象にして、その時刻範囲に含まれる複数の第１スコアを用いて、信号を送信するタイミングを決定することを特徴とする請求項３に記載の制御装置。
【請求項５】
前記決定部は、送信のタイミングに関する所定の条件によって特定されるタイミングに近づくほど特定されやすくなるような補正係数と、前記算出部において算出した第１スコアをもとに、タイミングを特定することを特徴とする請求項３に記載の制御装置。
【請求項６】
前記算出部は、所定の期間における時間毎の通信回数に基づいて、第１スコアを算出することを特徴とする請求項１から５のいずれか１項に記載の制御装置。
【請求項７】
前記算出部は、所定の長さの単位時間毎に第１スコアを算出し、
前記決定部は、前記予測値に相当する単位時間の個数を算出し、前記算出した個数の第１スコアをもとに、第２スコアを算出し、第２スコアに基づいて、信号を送信するタイミングを決定することを特徴とする請求項１から６のいずれか１項に記載の制御装置。
【請求項８】
前記決定部は、前記算出した個数の第１スコアを加算して第２スコアを算出することを特徴とする請求項７に記載の制御装置。
【請求項９】
前記決定部は、所定の時刻範囲に含まれる単位時間それぞれに対応させて、第２スコアを算出し、第２スコアが最小となる単位時間に対応する時刻を、信号を送信するタイミングとする請求項７または請求項８に記載の制御装置。
【請求項１０】
前記決定部は、所定の時刻範囲に含まれる単位時間それぞれに対応する補正係数と、第１スコアとを乗算して補正スコアを算出し、前記算出した個数の補正スコアを加算して第２スコアを算出することを特徴とする請求項７から９のいずれか１項に記載の制御装置。
【請求項１１】
無線リソースを使用する複数の端末装置のそれぞれから信号を受信する受信部と、
前記受信部において受信した信号をもとに、時間毎の無線リソースの使用状況が示された第１スコアを算出する算出部と、
前記算出部において算出した第１スコアと、信号送信に必要な時間の予測値とをもとに、信号を送信するタイミングを決定する決定部と、
を備えることを特徴とする基地局装置。
【請求項１２】
無線リソースを使用する複数の端末装置のそれぞれから受信した信号をもとに、時間毎の無線リソースの使用状況が示された第１スコアを算出するステップと、
算出した第１スコアと、信号送信に必要な時間の予測値とをもとに、信号を送信するタイミングを決定するステップと、
を備えることを特徴とする制御方法。
【請求項１３】
無線リソースを使用する複数の端末装置のそれぞれから受信した信号をもとに、時間毎の無線リソースの使用状況が示された第１スコアを算出するステップと、
算出した第１スコアと、信号送信に必要な時間の予測値とをもとに、信号を送信するタイミングを決定するステップとをコンピュータに実行させるためのプログラム。
【発明の詳細な説明】
【技術分野】
【０００１】
本発明は、通信技術に関し、特に送信のタイミングを制御する制御装置、基地局装置、制御方法、プログラムに関する。
【背景技術】
【０００２】
無線リソースの混雑度には地理的な依存性があり、ビジネス街などでは昼間の時間帯に混雑度が高くなるが、住宅街などでは夜間の時間帯に混雑度が高くなる。このような状況下において、非リアルタイム系のデータトラフィックを分散させることによって、優先度が低いデータによって無線リソースを消費されてしまうことを改善することが望まれる。そのために、端末装置が１日内で通信可能な時間帯をブロック分けし、通信が混雑している時間帯に行っていた処理が、通信が混雑していない時間帯に変更される。具体的には端末装置が通話を行った際、回線混雑により通話に失敗した履歴を「呼損率」として端末装置内に記録し、「呼損率」の高い区間を回線混雑時間帯として自律的に学習させ、混雑度の高い時間帯から低い時間帯へ自動的に通信処理が割り振られる（例えば、特許文献１）。
【先行技術文献】
【特許文献】
【０００３】
【特許文献１】特開２０１１−１９９５９２号公報
【発明の概要】
【発明が解決しようとする課題】
【０００４】
しかしながら、「呼損率」を測定するためには、端末装置からの通信が必要であり、必然的に端末装置から無駄な通信が行われてしまう。一方、複数の端末装置が接続可能な基地局装置に対して、送信タイミングに関して所定の条件を満たす必要のある通信が存在する場合、リアルタイム性が要求される通信が阻害されることがある。そのような状況下において、無駄な通信の発生を抑制しながらも、リアルタイム性が要求される通信の阻害を抑制することが求められる。
【０００５】
本発明はこうした状況に鑑みてなされたものであり、その目的は、送信タイミングに関して所定の条件を満たす必要のある通信が存在する場合、リアルタイム性が要求される通信が阻害されることを抑制する技術を提供することである。
【課題を解決するための手段】
【０００６】
上記課題を解決するために、本発明のある態様の制御装置は、無線リソースを使用する複数の端末装置のそれぞれから受信した信号をもとに、時間毎の無線リソースの使用状況が示された第１スコアを算出する算出部と、算出部において算出した第１スコアと、信号送信に必要な時間の予測値とをもとに、信号を送信するタイミングを決定する決定部と、を備える。
【０００７】
本発明の別の態様は、基地局装置である。この装置は、無線リソースを使用する複数の端末装置のそれぞれから信号を受信する受信部と、受信部において受信した信号をもとに、時間毎の無線リソースの使用状況が示された第１スコアを算出する算出部と、算出部において算出した第１スコアと、信号送信に必要な時間の予測値とをもとに、信号を送信するタイミングを決定する決定部と、を備える。
【０００８】
本発明のさらに別の態様は、制御方法である。この方法は、無線リソースを使用する複数の端末装置のそれぞれから受信した信号をもとに、時間毎の無線リソースの使用状況が示された第１スコアを算出するステップと、算出した第１スコアと、信号送信に必要な時間の予測値とをもとに、信号を送信するタイミングを決定するステップと、を備える。
【０００９】
なお、以上の構成要素の任意の組合せ、本発明の表現を方法、装置、システム、記録媒体、コンピュータプログラムなどの間で変換したものもまた、本発明の態様として有効である。
【発明の効果】
【００１０】
本発明によれば、送信タイミングに関して所定の条件を満たす必要のある通信が存在する場合、リアルタイム性が要求される通信が阻害されることを抑制できる。
【図面の簡単な説明】
【００１１】
【図１】実施例１に係る通信システムの構成を示す図である。
【図２】図１の基地局装置によるＣＷ  ＩＤの送信の概要を示す図である。
【図３】図１の基地局装置によるＣＷ  ＩＤの送信の別の概要を示す図である。
【図４】図４（ａ）−（ｂ）は、図１の基地局装置によるＣＷ  ＩＤの送信のさらに別の概要を示す図である。
【図５】図１の基地局装置の構成を示す図である。
【図６】図５の通話履歴テーブルのデータ構造を示す図である。
【図７】図５の設定部において保持されるデータベースのデータ構造を示す図である。
【図８】図５の算出部による処理の概要を示す図である。
【図９】図５の決定部による処理の概要を示す図である。
【図１０】実施例２に係る基地局装置によるＣＷ  ＩＤの送信の概要を示す図である。
【図１１】実施例２に係る算出部による処理の概要を示す図である。
【図１２】実施例２に係る算出部において保持される補正係数を示す図である。
【図１３】図５の決定部による処理の概要を示す図である。
【発明を実施するための形態】
【００１２】
（実施例１）
本発明を具体的に説明する前に、まず概要を述べる。本発明の実施例１は、基地局装置を介して互いに通信する複数の端末装置が含まれる通信システムに関する。本通信システムは、例えば、業務用無線システムに対応し、グループ通信を実行する。また、端末装置から基地局装置に向かう上りリンクの周波数（以下、「上り周波数」という）と、基地局装置から端末装置に向かう下りリンクの周波数（以下、「下り周波数」という）とは異なる。なお、上り周波数は、基地局装置における受信周波数に相当し、下り周波数は、基地局装置における送信周波数に相当する。複数の上り周波数と複数の下り周波数とが規定されているが、１つの上り周波数と１つの下り周波数との組合せが基地局装置に設定される。以下、この組合せを「チャネル」ということもあるが、上り周波数または下り周波数の一方を「チャネル」ということもある。なお、「チャネル」を「ＣＨ」と表記することもある。また、グループ毎にＣＨが異なる。
【００１３】
このような通信システムにおいて、同一のグループに含まれる複数の端末装置が１つの基地局装置に接続される場合、１つの端末装置が上り周波数を使用して発呼情報を送信すると、基地局装置は当該発呼情報を受信する。発呼情報には、通話内容に相当する音声情報が含まれているので、発呼情報はリアルタイム性の高い情報であるといえる。基地局装置は、下り周波数を使用して発呼情報を残りの端末装置に送信すると、残りの端末装置は当該発呼情報を受信する。このように、基地局装置を経由して、１つの端末装置から残りの端末装置に発呼情報が伝送される。
【００１４】
また、通信システムにおいて、当該通信システムの管理者等を識別するための識別情報（以下、「Ｓｔａｔｉｏｎ  ＩＤ」という）を基地局装置が一定周期、例えば数十分に１回送信する条件が規定されることもある。ここで、一定周期は、厳密な時間としてではなく、送信間隔の最大時間として定められる。このようなＳｔａｔｉｏｎ  ＩＤがアナログ方式で送信される場合、モールス符号が使用されることもあり、「ＣＷ  ＩＤ」と呼ばれる。アナログ方式での送信では、デジタル方式での送信と比較して、通信速度が低くなる傾向にある。そのため、ＣＷ  ＩＤの送信に要する時間も長くなる。
【００１５】
基地局装置は、ＣＷ  ＩＤを送信している間に端末装置からの発呼情報を受信した場合、発呼情報の送信よりもＣＷ  ＩＤの送信を優先するので、ＣＷ  ＩＤの送信を終了してから、発呼情報を送信する。このような処理によって、リアルタイム性の高い発呼情報の先頭部分は基地局装置から送信されない。しかしながら、ＣＷ  ＩＤのように送信タイミングに関する所定の条件を満たす必要のある通信と、発呼情報のようにリアルタイム性を要求される通信とを両立することが求められる。
【００１６】
本実施例における基地局装置は、基地局装置において規定される周波数を使用する全ての端末装置について、日毎の時間、分単位の通話履歴を記録する。また、基地局装置は、通話履歴をもとにスコアを算出する。そのため、スコアでは、時間毎の無線リソースの使用状況が示される。無線リソースとは、例えば、通信チャネル、通信周波数、通信タイムスロットなどである。基地局装置は、ＣＷ  ＩＤの送信に必要な実時間を考慮しながら、無線リソースが使用される可能性が相対的に低いタイミングを特定し、特定したタイミングにおいてＣＷ  ＩＤを送信する。つまり、基地局装置は、ＣＷ  ＩＤの送信タイミングを端末装置の通話履歴から動的に変更させる。これにより、ＣＷ  ＩＤの送信タイミングと、端末装置からの発呼情報の受信タイミングが重複しにくくなる。
【００１７】
図１は、通信システム１００の構成を示す。通信システム１００は、基地局装置１０、端末装置１２と総称される第１端末装置１２ａ、第２端末装置１２ｂ、第３端末装置１２ｃを含む。通信システム１００に含まれる基地局装置１０の数は「１」に限定されず、それより多くてもよい。複数の基地局装置１０が含まれる場合、各基地局装置１０は、図示しないＩＰ（Ｉｎｔｅｒｎｅｔ  Ｐｒｏｔｏｃｏｌ）ネットワークを介して接続される。ここでは、説明を明瞭にするために、１つの基地局装置１０に着目する。また、通信システム１００に含まれる端末装置１２の数は「３」に限定されず、それらより多くてもよく、それらよりも少なくてもよい。ここで、第１端末装置１２ａ、第２端末装置１２ｂ、第３端末装置１２ｃは、同一のグループに含まれるとする。
【００１８】
基地局装置１０、複数の端末装置１２は、業務用無線システムに対応しており、各端末装置１２は、基地局装置１０を介して、音声通信を実行する。各端末装置１２はＰＴＴ（Ｐｕｓｈ  Ｔｏ  Ｔａｌｋ）ボタンを備え、ＰＴＴボタンが押し下げられた端末装置１２、例えば、第１端末装置１２ａはユーザの音声を発呼情報として基地局装置１０に送信する。その際、「送信周波数：ＡＡＡ  ＭＨｚ」が使用される。基地局装置１０は、「受信周波数：ＡＡＡ  ＭＨｚ」にて端末装置１２からの発呼情報を受信する。基地局装置１０は、「送信周波数：ＢＢＢ  ＭＨｚ」にて当該発呼情報を送信する。発呼情報を送信した端末装置１２以外の端末装置１２、例えば、第２端末装置１２ｂ、第３端末装置１２ｃは、「受信周波数：ＢＢＢ  ＭＨｚ」にて基地局装置１０からの発呼情報を受信する。このようなグループ通信では、例えば、１つの端末装置１２から基地局装置１０経由で複数の他の端末装置１２に発呼情報を送信するような１対多の通信が実行される。なお、説明を明瞭にするために本実施例では、基地局装置１０は１つの上り周波数と、１つの下り周波数を使用するものとするが、複数の上り周波数と、複数の下り周波数を用いる基地局装置１０においても、本実施例で説明する方法を適用することができる。
【００１９】
通信システム１００を使用する場合に、基地局装置１０が送信を行う際に使用する「送信周波数：ＢＢＢ  ＭＨｚ」について、Ｓｔａｔｉｏｎ  ＩＤを一定間隔に基地局装置１０から送信しなければならない条件が各国の法律によっては定められる。前述のごとく、一定周期は、厳密な時間としてではなく、送信間隔の最大時間として定められる。１回目のＳｔａｔｉｏｎ  ＩＤを送信した時刻からＸＸ分以内に２回目のＳｔａｔｉｏｎ  ＩＤを送信するという条件が定められる場合、（ＸＸ−１）分の間隔で２回目のＳｔａｔｉｏｎ  ＩＤを送信しても許容される。そのため、基地局装置１０には、一定周期、例えば数十分に１回でＳｔａｔｉｏｎ  ＩＤを送信する設定がなされる。
【００２０】
Ｓｔａｔｉｏｎ  ＩＤはデジタル方式あるいはアナログ方式にて送信され、アナログ方式の場合は、モールス符号を使用したＣＷ  ＩＤと呼ばれる方式で送信される。アナログ方式の通信速度はデジタル方式の通信速度よりも低いので、アナログ方式においてＳｔａｔｉｏｎ  ＩＤの送信に要する期間は、デジタル方式においてＳｔａｔｉｏｎ  ＩＤの送信に要する期間よりも長くなる。例えば、前者は１０〜１５秒であり、後者は１〜２秒である。上述のとおり、ＣＷ  ＩＤは、送信のタイミングに関する所定の条件を満たす必要のある信号である。
【００２１】
図２は、基地局装置１０によるＣＷ  ＩＤの送信の概要を示す。ＣＷ  ＩＤには、周波数使用者等の文字情報、通信速度（ＷＰＭ  ＝  ｗｏｒｄｓ  ｐｅｒ  ｍｉｎｕｔｅ）、送信周期が設定される。ＣＷ  ＩＤは、基地局装置１０から「送信周波数ＢＢＢ ＭＨｚ」にて指定された送信周期毎に送信される。ＣＷ  ＩＤ自体の送信による期間は、文字情報や通信速度にもよるが、概ね数秒から数十秒である。ここでは、「送信周波数：ＢＢＢ  ＭＨｚ」において、３０分周期で「ＡＢＣＤ  ＣＯＭＰＡＮＹ」という文字列情報が、モールス符号にて数秒かけて送信される。
【００２２】
図３は、基地局装置１０によるＣＷ  ＩＤの送信の別の概要を示す。基地局装置１０は、設定された送信周期に達した場合に、ＣＷ  ＩＤを送信すべきであるが、ＣＷ  ＩＤを送信している間、端末装置１２間での通話を行えない。つまり、基地局装置１０は、発呼情報を送信できない。端末装置１２間での通話が行われている間にＣＷ  ＩＤの送信タイミングが到達した場合、基地局装置１０は、端末装置１２間の通話が終了するまでＣＷ  ＩＤの送信を保留する。この場合、端末装置１２間の通信が全て終了した後にＣＷ  ＩＤの送信が行われる。これにより、端末装置１２間で通話を行っている間に、ＣＷ  ＩＤにより通話が突然終了する事態が回避される。
【００２３】
図４（ａ）−（ｂ）は、基地局装置１０によるＣＷ  ＩＤの送信のさらに別の概要を示す。図４（ａ）は、基地局装置１０がＣＷ  ＩＤを送信している間に端末装置１２が発呼情報を送信した場合を示す。基地局装置１０はＣＷ  ＩＤの送信を途中で中止して、端末装置１２からの発呼情報を受信および送信しない。これは、仮にＣＷ  ＩＤの送信を途中で中止し端末装置１２間の通話に切り替えた場合、「ＡＢＣＤ  ＣＯＭＰＡＮＹ」と送信されるべきＣＷ  ＩＤが「ＡＢＣＤ  Ｃ」の様に途中で終了し、周波数使用者の情報を正常に周知することができなくなるからである。そのため、基地局装置１０は、ＣＷ  ＩＤを送信している間に端末装置１２が発呼情報を送信した場合、ＣＷ  ＩＤの送信が終了してから端末装置１２からの発呼情報を送信する。
【００２４】
図４（ｂ）は、図４（ａ）において、ＣＷ  ＩＤの送信と端末装置１２からの発呼情報の受信とが重なった部分の拡大図である。ＣＷ  ＩＤ送信中に受信した端末装置１２からの発呼情報は、ＣＷ  ＩＤ送信が終了まで基地局装置１０に無視される。ＣＷ  ＩＤの送信に要する実時間は、周波数使用者文字列長および通信速度により変動し、設定によっては相応の時間が必要となる。そのため、端末装置１２間ですぐに会話を行いたい場合であっても、相応の時間にわたって発呼情報は基地局装置１０から送信されない。これにより、通話開始時に重要な内容を通知していた場合に問題となる。
【００２５】
図５は、基地局装置１０の構成を示す。基地局装置１０は、デジタル通信部２０、記録部２２、通話履歴テーブル２４、設定部２６、アナログ送信部２８、制御装置３０を含み、制御装置３０は、算出部４０、決定部４２を含む。
【００２６】
デジタル通信部２０は、１つの端末装置１２からの発呼情報を受信し、当該１つの端末装置１２と同一のグループに含まれた残りの端末装置１２に発呼情報を送信する。デジタル通信部２０での処理は業務用無線システムの規定にしたがってなされるので、ここでは説明を省略する。業務用無線システムが一般的な施設警備の用途などに使用される場合、定時連絡時等で通話が行われることが多い。そのため、通話が行われる時刻（時、分）は日単位で偏りが出る傾向がある。例えば、月曜日から金曜日の午前１０時００分００秒付近で数十秒間の通話がなされるといった傾向がみられる。ＣＷ  ＩＤの送信時刻が上記時刻付近である場合、必然的にＣＷ  ＩＤの送信処理により端末装置１２からの発呼情報を阻害してしまう可能性が高くなる。
【００２７】
記録部２２は、デジタル通信部２０においてなされる端末装置１２の通話履歴（通信履歴）を一定間隔で通話履歴テーブル２４に記録する。具体的には、端末装置１２の発呼情報が時間情報とともに通話履歴テーブル２４に記録される。これは、時刻毎（時間毎）の端末装置１２の通話状況を定量的に測定するためである。
【００２８】
図６は、通話履歴テーブル２４のデータ構造の一例を示す。ここでは、通話履歴を記録するためのサンプリング時間（単位時間）Ｔｓ＝５［ｓｅｃ］とし、その区間で端末装置１２間にて通話が行われたか否かが記録される。すなわち、所定の時間帯毎に、通話の状況が記録される。通話が行われた場合、その区間は通話履歴ありとして「黒丸」でチェックされる。なお、ここではサンプリング時間Ｔｓ＝５［ｓｅｃ］としているが、サンプリング時間に特に制限はなく、より長くしてもよいし、より短くしてもよい。また、ここでは通話履歴がある場合に「黒丸」が示されるが、通話履歴のある時間が示されてもよい。図６において示している記録期間、時間帯は記録例内の一部となるが、通話履歴情報は日毎、終日記録されているものとする。なお、基地局装置１０が複数の下りチャネル（下り周波数）を用いる場合は、図６に示す通話履歴テーブル２４をチャネル毎に用意すればよい。また、図６に示すデータ構造はあくまでも一例であり、通話履歴テーブル２４に他の形式のデータを格納してもよい。例えば、「チャネル番号（周波数）」、「通話開始日時」、「通話終了日時」の組み合せを通話履歴テーブル２４に格納し、このデータをもとに、後述の第１スコアおよび第２スコアを計算してもよい。図５に戻る。
【００２９】
設定部２６は、ＣＷ  ＩＤにて送信する周波数使用者の文字列、通信速度、送信周期等を設定する。送信周期は、Ｐｃｗ［ｍｉｎ］と示される。また、設定部２６は、文字別のモールス符号一覧を保持する。図７は、設定部２６において保持されるデータベースのデータ構造を示す。「ＡＳＣＩＩ」は文字を示し、「Ｂｉｎ」は当該文字列の識別情報を示し、「Ｐａｔｔｅｒｎ」は当該文字のモールス符号を示し、「Ｐｅｒｉｏｄ」は、当該モールス符号の長さを示す。図５に戻る。
【００３０】
算出部４０は、設定部２６を参照し、ＣＷ  ＩＤの周波数使用者の文字列長、通信速度、モールス符号一覧からＣＷ  ＩＤの送信に必要な実時間を計算する。すなわち、ＣＷ  ＩＤという所定のデータ（所定の信号）の送信に必要な時間の予測値を計算する。通信速度がＮ［ＷＰＭ］の場合、短点の時間ＭＴｄ［ｍｓｅｃ］は、次のように示される。
ＭＴｄ＝１２００÷Ｎ
ＣＷ  ＩＤの送信に必要な実時間ＭＴｔ［ｍｓｅｃ］は次のように示される。
ＭＴｔ＝ＭＴｄ×(周波数使用者の全文字列のモールス符号化)
【００３１】
図２では、通信速度が「２０ＷＰＭ」とされ、周波数使用者の文字列が「ＡＢＣＤ  ＣＯＭＰＡＮＹ」とされる。図７に示した文字別のモールス符号一覧を参照すると、ＭＴｄとＭＴｔは、次のように示される。すなわち、送信に必要な時間（予測値）は、７７４０［ｍｓｅｃ］である。
ＭＴｄ＝６０
ＭＴｔ＝６０×（［Ａ］５［］３［Ｂ］９［］３［Ｃ］１１［］３［Ｄ］７［］７［Ｃ］１１［］３［Ｏ］１１［］３［Ｍ］７［］３［Ｐ］１１［］３［Ａ］５［］３［Ｎ］５［］３［Ｙ］１３）
ここで、添え字は各文字の短点数を示す。そのため、ＭＴｔは次のように示される。
ＭＴｔ＝６０×（５＋３＋９＋３＋１１＋３＋７＋７＋１１＋３＋１１＋３＋７＋３＋１１＋３＋５＋３＋５＋３＋１３）
＝７７４０［ｍｓｅｃ］
【００３２】
算出部４０は、設定部２６を参照し、ＣＷ  ＩＤ送信周期Ｐｃｗ［ｍｉｎ］から次回ＣＷ  ＩＤの送信を行う予定時刻Ｔｎｘを特定する。ＣＷ  ＩＤ送信部はＴｎｘ においての通話履歴を通話履歴テーブル２４より参照し、過去の端末装置１２による通話状況を示す第１スコアを計算する。つまり、算出部４０は、無線リソースを使用する複数の端末装置１２のそれぞれから受信した信号をもとに、時間毎の無線リソースの使用状況が示された第１スコアを算出する。なお、この第１スコアは、所定の時間帯毎のスコア、あるいは所定の時間区間毎のスコア、あるいは単位時間毎のスコアであるともいえる。本実施例では、単位時間はＴｓ＝５［ｓｅｃ］である。
【００３３】
図８は、算出部４０による処理の概要を示す。本図の「第１スコア」は、所定の期間（３週間）における、それぞれの単位時間に対応する通信回数の合計値である。本図に示す例では、通信が行われたことを示す「●」の数を行毎に算出した値が第１スコアである。
算出部４０は、第１スコアに基づいて、第２スコアＳｓｍを算出し、第２スコアＳｓｍに基づいて、ＣＷ  ＩＤの送信タイミングを決定する。このとき、ＣＷ  ＩＤの送信処理で必要となる時間の予測値ＭＴｔ［ｍｓｅｃ］およびサンプリング時間Ｔｓ［ｓｅｃ］により、第２スコアの算出に必要な区間数Ｋｓが決まる。図８では、ＣＷ  ＩＤの送信予定時刻Ｔｎｘ＝１０：１０：００である場合のＳｓｍ計算処理例を示している。ここでは、通話履歴テーブル２４のサンプリング期間Ｔｓ=５［ｓｅｃ］であるので、ＣＷ  ＩＤの送信実時間ＭＴｔ＝７７４０［ｍｓｅｃ］を完全に送信するための区間数はＫｓ＝２となる。そのため、Ｓｓｍの計算対象は［１０：１０：００］から［１０：１０：０５］の２区間となる。これより、ＣＷ  ＩＤ送信予定時刻Ｔｎｘ＝１０：１０：００の第２スコアは、［１０：１０：００］に対応する第１スコア「６」と、［１０：１０：０５］に対応する第１スコア「７」を加算した合計値となり、Ｓｓｍ＝１３となる。すなわち、信号送信に必要な時間の予測値を単位時間で割った値（単位時間の個数）を算出し、各単位時間について、単位時間の個数分だけ第１スコアを加算して第２スコアを算出する。なお、割り切れない場合は、小数点以下は切り上げとする。
【００３４】
この例では、第１スコア計算に通話履歴テーブル２４の直近の３週間分のデータを用いているが、他の方法を用いてもよい。例えば、直近の６０日分を用いてもよいし、保存されている全てのデータを用いてもよい。ただし、ユーザの最近の行動パターンを第１スコアに反映させるためには、あまり古いデータを使わず、直近のＮ日分のデータを使う方がよい。また、新しいデータほど大きな重みとなるような重み付けをして第１スコアを計算してもよい。例えば、第１スコア計算する時点から遡って、過去１週間以内のデータには、重み「３」を付け、過去１週間〜２週間のデータには、重み「２」を付け、過去２週間〜３週間のデータには、重み「１」を付けて、通話のあった期間の数をカウントし、第１スコアを算出してもよい。
【００３５】
決定部４２は、算出部４０において算出した第２スコアをもとに、ＣＷ  ＩＤを送信するタイミングを決定する。特に、決定部４２は、算出部４０において算出した第２スコアをもとに、無線リソースが使用される可能性が相対的に低いタイミングを特定する。決定部４２は、ＴｎｘにおけるＳｓｍが得られた後、ＴｎｘにおけるＳｓｍが「０」より大きい場合あるいはしきい値以上である場合、Ｔｎｘ付近において区間数Ｋｓで計算した際に最も第２スコアの低い時刻Ｔｌｏｗを探索する。探索の方法としては、時刻Ｔｎｘの順方向、逆方向それぞれに対し区間数Ｋｓ単位で第２スコアの計算を行う。つまり、決定部４２は、送信のタイミングに関する所定の条件によって特定されるタイミングから離れる方向にタイミングを探索する。
【００３６】
探索の範囲は時刻Ｔｎｘから順方向、逆方向それぞれ送信周期Ｐｃｗ［ｍｉｎ］を基準とした所定の時間の範囲としてもよい。例えば、Ｐｃｗの５分の１の時間幅を順方向および逆方向それぞれの探索範囲とすればよい。探索により、Ｔｌｏｗが複数存在する場合、決定部４２は、Ｔｎｘと最も近い時刻を送信候補時刻Ｔｏｐとして設定する。Ｔｏｐの第２スコアが、Ｔｎｘの第２スコア を下回った場合、決定部４２は、Ｔｏｐにてアナログ送信部２８へＣＷ  ＩＤの送信を指示する。Ｔｏｐの第２スコアがＴｎｘの第２スコア を下回らない場合、決定部４２は、Ｔｎｘ にてアナログ送信部２８へＣＷ  ＩＤの送信を指示する。
【００３７】
図９は、決定部４２による処理の概要を示す。これは、ＣＷ  ＩＤの送信予定時刻Ｔｎｘ＝１０：１０：００である場合のＴｏｐの探索処理例である。区間数Ｋｓ＝２で探索した結果、Ｔｌｏｗとして、［１０：０９：２０］からの２区間、［１０：０９：２５］からの２区間が候補として挙げられる。決定部４２は、Ｔｏｐとして、Ｔｎｘから最も近い［１０：０９：２５］を設定する。Ｔｏｐの第２スコアが「０」であり、Ｔｎｘの第２スコア「１３」を下回っているので、次回のＣＷ  ＩＤはＴｏｐ＝１０：０９：２５に送信される。図５に戻る。アナログ送信部２８は、決定部４２において決定されたＴｏｐにおいて、ＣＷ  ＩＤをモールス符号によって送信する。アナログ送信部２８がＣＷ  ＩＤを送信したＴｏｐは、設定部２６に出力される。なお、基地局装置１０が複数の下りチャネル（下り周波数）を用いる場合は、チャネル毎に第１スコアおよび第２スコアを計算し、チャネル毎にＴｏｐを計算すればよい。
【００３８】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。
【００３９】
本実施例によれば、時間毎の無線リソースの使用状況が示されたスコアをもとに、ＣＷ  ＩＤを送信するタイミングを決定するので、時間毎の無線リソースの使用状況に適したＣＷ  ＩＤの送信のタイミングを決定できる。また、ＣＷ  ＩＤは、送信のタイミングに関する所定の条件を満たす必要のある信号であるので、送信タイミングに関して所定の条件を満たす必要のある通信が存在する場合、リアルタイム性が要求される通信が阻害されることを抑制できる。また、算出した第２スコアをもとに、無線リソースが使用される可能性が相対的に低いタイミングを特定するので、リアルタイム性が要求される通信が阻害されることを抑制できる。また、送信のタイミングに関する所定の条件によって特定されるタイミングから離れる方向にタイミングを探索するので、送信のタイミングに関する所定の条件によって特定されるタイミングに近いタイミングを特定できる。
【００４０】
また、通話履歴を使用するので、混雑度の判定のための無駄な通信を不要にできる。また、混雑度の判定のための無駄な通信が不要になるので、システムの混雑度の上昇を抑制できる。また、無線リソースが使用される可能性が相対的に低いタイミングを特定するので、ＣＷ  ＩＤの送信により端末装置間の通話が無視される機会を軽減できる。また、ＣＷ  ＩＤの送信により端末装置間の通話が無視される機会が軽減されるので、ユーザの利便性を向上できる。また、端末装置間の通話履歴を参照するので、所定の条件を満たすようにＣＷ  ＩＤを最適なタイミングで送信できる。また、ＣＷ  ＩＤの送信に必要な実時間も考慮するので、ＣＷ  ＩＤを送信していたために端末装置からの発呼情報が無視される可能性を軽減できる。また、端末装置間の通話が行われる可能性の最も低い時刻にＣＷ  ＩＤを送信するので、端末装置間の通話がＣＷ  ＩＤにより阻害される可能性を低減できる。
【００４１】
（実施例２）
次に、実施例２を説明する。実施例２は、実施例１と同様に、ＣＷ  ＩＤのように送信タイミングに関する所定の条件を満たす必要のある通信と、発呼情報のようにリアルタイム性を要求される通信とを両立する通信システムに関する。実施例２に係る基地局装置は、ＣＷ  ＩＤの送信周期の設定を特に行わずに、端末装置の通話履歴を利用して各国の法律による所定時間内にＣＷ  ＩＤの送信処理を行う。また、基地局装置は、新しいデータに大きな重み付けを行うための補正係数を保持し、補正係数により時刻別の通話履歴に重み付けを行ってスコアを算出する。実施例２に係る通信システム１００、基地局装置１０の構成は、図１、図５と同様のタイプである。ここでは、これまでとの差異を中心に説明する。
【００４２】
図１０は、実施例２に係る基地局装置１０によるＣＷ  ＩＤの送信の概要を示す。これは、ＣＷ  ＩＤの送信を行った後の所定時間を示す。所定時間が「６０ｍｉｎｕｔｅｓ」である場合、決定部４２は、ＣＷ  ＩＤを最後に送信開始してから「６０ｍｉｎｕｔｅｓ」先の期間を探索対象期間とし、端末装置１２の通話履歴から端末装置１２間通話が行われる可能性の最も低い時刻を探索する。
【００４３】
図５のアナログ送信部２８がＣＷ  ＩＤを送信した後、算出部４０は、設定部２６を参照し、探索対象期間Ｔｐｒｅ［ｍｉｎ］を取得する。算出部４０は、通話履歴テーブル２４を参照し、現時刻からＴｐｒｅ［ｍｉｎ］間までの全区間の第１スコアを計算する。その際、算出部４０は、各区間の第１スコアに「＋１」を加算する。これは、有効な補正スコアの値を０より大きな値にするための処理である。図１１は、実施例２に係る算出部４０による処理の概要を示す。これは、サンプリング期間Ｔｓ＝５［ｓｅｃ］、所定時間Ｔｐｒｅ＝６０［ｍｉｎ］において、［１１：００：００］にＣＷ  ＩＤを送出した場合に区間毎にスコア化した例を示す。図５に戻る。
【００４４】
算出部４０は、所定時間Ｔｐｒｅ［ｍｉｎ］内での各区間に補正係数Ｃによる重み付けを行う。図１２は、実施例２に係る算出部４０において保持される補正係数を示す。区間番号Ｋｎが最小値の場合、補正係数Ｃは最大値「１００」となり、Ｋｎの値が増大するにしたがって補正係数Ｃは減少する。ＣＷ  ＩＤの送信間隔の許容上限時間（上述の所定時間）を超えた区間番号Ｋｎでは、補正係数Ｃは「０」となる。すなわち、送信間隔の許容上限時間以内の区間では、補正係数Ｃは０より大きな値となる。区間番号Ｋｎ時の補正係数Ｃの値は次のように示される。
Ｃ＝（（Ｔｐｒｅ÷Ｔｓ）−Ｋｎ）÷（Ｔｐｒｅ÷Ｔｓ）×１００
【００４５】
図５に戻る。決定部４２は、補正係数Ｃと第１スコアとをかけあわせて総合的な指標である補正スコアを算出する。図１３は、決定部４２による処理の概要を示す。これは、計算された補正係数Ｃと各区間の第１スコアとをかけあわせて算出した補正スコアの例を示す。決定部４２は、実施例１と同様に、区間数Ｋｓ毎に補正スコアの合計値を算出し、それを第２スコア（補正第２スコア）とする。そして第２スコアの探索を行い、第２スコアの値が０より大きく、かつ最も小さい値の時刻を次回予定時刻Ｔｎｘとして設定する。Ｋｓ=２とする場合、図１３に示す例では、［１１：５９：４０］における補正スコアの値が「０．４１６６７」、［１１：５９：４５］における補正スコアの値が「０．３３３３３」であり、［１１：５９：４０］における第２スコアは、これらの合計値である「０．７５」となる。そして、探索対象範囲において、この「０．７５」が最小値となるため、Ｔｎｘは［１１：５９：４０］となる。つまり、決定部４２は、送信のタイミングに関する所定の条件によって特定されるタイミングに近づくほど特定されやすくなるような補正係数Ｃと、算出部４０において算出した第１スコアをもとに、送信タイミングを特定する。なお、複数の区間において第２スコアが最小値をとる場合は、所定時間Ｔｐｒｅに最も近い区間をＴｎｘとする。
【００４６】
本実施例によれば、送信のタイミングに関する所定の条件によって特定されるタイミングに近づくほど特定されやすくなるような補正係数と、スコアをもとに、ＣＷ  ＩＤの送信タイミングを特定するので、所定の条件を満たすような通信を実行できる。また、送信のタイミングに関する所定の条件によって特定されるタイミングに近づくほど特定されやすくなるような補正係数と、スコアをもとに、ＣＷ  ＩＤの送信タイミングを特定するので、端末装置間の通信の阻害を抑制できる。また、各国の法律等による所定の条件を満たすように、端末装置間の通話が行われる可能性の最も低い時刻にＣＷ  ＩＤを送信できる。
【００４７】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００４８】
本実施例１、２において通信システム１００では、業務用無線システムが使用されている。しかしながらこれに限らず例えば、業務用無線システム以外の携帯電話等の無線通信システムが使用されてもよい。本変形例によれば、システムの自由度を向上できる。
【００４９】
本実施例１、２において制御装置３０は、基地局装置１０内に含まれる。しかしながらこれに限らず例えば、制御装置３０は、基地局装置１０の外部に配置され、ＩＰネットワークを介して基地局装置１０に接続されてもよい。本変形例によれば、構成の自由度を向上できる。
【００５０】
本実施例１、２において、送信のタイミングに関する所定の条件を満たす必要のある信号がＣＷ  ＩＤであるとされている。しかしながらこれに限らず例えば、送信のタイミングに関する所定の条件を満たす必要のある信号がＣＷ  ＩＤ以外の信号であってもよい。そのような信号の例をここでは４つ説明する。１つ目の例は、法律または規制で決められた通信に使用される信号である。２つ目の例は、組織の運営ルールで決められた通信に使用される信号である。例えば、毎朝９時前後に、前日の報告や当時の予定について、組織（グループ）の端末装置１２に同報通信される信号である。これは、通信システム１００を使用した朝礼、昼礼、夕礼などであるといえる。３つ目の例は、気象情報、災害情報、交通情報などである。これらは数十分毎に最新の情報をユーザに届けることが望ましいが、通知の間隔はそれほど厳密でなくてもよい性質を持っている。４つ目の例は、コマーシャル（ＣＭ）の信号である。具体的には、ＣＭの音声信号、映像信号、データ等である。ＣＭを定期的に流す代わりに、通信システムの使用料金を安くしてもよい。ＣＭの送信タイミングは、平均して３０分に１回以上と決められているが、厳密な時刻までは決められていないものとする。また、送信タイミングはある程度の自由度があるが、一度送信を始めたら、途中で中止するのは許容されないものとする。本変形例によれば、構成の自由度を向上できる。
【符号の説明】
【００５１】
１０  基地局装置、  １２  端末装置、  ２０  デジタル通信部、  ２２  記録部、  ２４  通話履歴テーブル、  ２６  設定部、  ２８  アナログ送信部、  ３０  制御装置、  ４０  算出部、  ４２  決定部、  １００  通信システム。
【図１】
2019029736.tif 000003
【図２】
2019029736.tif 000004
【図３】
2019029736.tif 000005
【図４】
2019029736.tif 000006
【図５】
2019029736.tif 000007
【図６】
2019029736.tif 000008
【図７】
2019029736.tif 000009
【図８】
2019029736.tif 000010
【図９】
2019029736.tif 000011
【図１０】
2019029736.tif 000012
【図１１】
2019029736.tif 000013
【図１２】
2019029736.tif 000014
【図１３】
2019029736.tif 000015